(57)【特許請求の範囲】
【請求項１】
封止された先端部側にｐＨガラス感応膜を有し、前記先端部側と軸線方向の反対側である基端部側の端部が開口とされた測定電極管と、
前記測定電極管の内部に挿入された測定電極内極と、
前記測定電極内極で得られる電位を導くための測定リード線と、
前記測定電極管の軸線方向に沿って前記測定電極管を取り囲んで配置される外筒と、
前記外筒と前記測定電極管の間に挿入された比較電極内極と、
前記比較電極内極で得られる電位を導くための比較リード線と、
前記ｐＨガラス感応膜を外部に露出させた状態で、前記測定電極管の先端部近傍と前記外筒との間を封止する封止部と、
前記測定電極管の前記基端部側の端部及び前記測定電極管の基端部側と前記外筒との間を封止するキャップとを備え、
前記測定電極管及び前記キャップにより囲まれる空間は測定内部液が封入される測定内部液収容部とされ、
前記外筒、前記測定電極管、前記封止部、及び前記キャップにより囲まれる空間は比較内部液収容部とされ、
前記封止部の一部または全部は、前記比較内部液収容部の液体と前記封止部の外部に接触する液体との間の電気的接続を可能とする液絡部で構成され、
前記測定リード線及び前記比較リード線は、液密かつ気密を保った状態で前記キャップを貫通し、
前記比較内部液収容部は、隔壁によって、前記封止部に接する外側収容部と、前記封止部に接することなく前記外側収容部と接する第１内側収容部と、前記封止部に接することなく前記第１内側収容部と接する第２内側収容部に分離され、
前記隔壁の前記外側収容部と前記第１内側収容部とを分離する部分の一部または全部は、前記外側収容部と前記第１内側収容部の各々に収容される液体の電気的接続を可能とする液絡部で構成され、
前記隔壁の前記第１内側収容部と前記第２内側収容部とを分離する部分には、ｐＨガラス感応膜が設けられ、
前記比較電極内極は、前記第２内側収容部に挿入され、
前記外側収容部に塩化カリウムの錠剤と塩化カリウム溶液が封入されていることを特徴とする複合電極。
【請求項２】
封止された先端部側に金属電極を有し、前記先端部側と軸線方向の反対側である基端部側の端部が開口とされた測定電極管と、
前記金属電極で得られる電位を導くための測定リード線と、
前記測定電極管の軸線方向に沿って前記測定電極管を取り囲んで配置される外筒と、
前記外筒と前記測定電極管の間に挿入された比較電極内極と、
前記比較電極内極で得られる電位を導くための比較リード線と、
前記金属電極を外部に露出させた状態で、前記測定電極管の先端部近傍と前記外筒との間を封止する封止部と、
前記測定電極管の前記基端部側の端部及び前記測定電極管の基端部側と前記外筒との間を封止するキャップとを備え、
前記外筒、前記測定電極管、前記封止部、及び前記キャップにより囲まれる空間は比較内部液収容部とされ、
前記封止部の一部または全部は、前記比較内部液収容部の液体と前記封止部の外部に接触する液体との間の電気的接続を可能とする液絡部で構成され、
前記測定リード線及び前記比較リード線は、液密かつ気密を保った状態で前記キャップを貫通し、
前記比較内部液収容部は、隔壁によって、前記封止部に接する外側収容部と、前記封止部に接することなく前記外側収容部と接する第１内側収容部と、前記封止部に接することなく前記第１内側収容部と接する第２内側収容部に分離され、
前記隔壁の前記外側収容部と前記第１内側収容部とを分離する部分の一部または全部は、前記外側収容部と前記第１内側収容部の各々に収容される液体の電気的接続を可能とする液絡部で構成され、
前記隔壁の前記第１内側収容部と前記第２内側収容部とを分離する部分には、ｐＨガラス感応膜が設けられ、
前記比較電極内極は、前記第２内側収容部に挿入され、
前記外側収容部に塩化カリウムの錠剤と塩化カリウム溶液が封入されていることを特徴とする複合電極。
【請求項３】
前記封止部は、着脱自在とされている請求項１または２に記載の複合電極。
【請求項４】
前記塩化カリウムの錠剤は、増粘剤を含有する請求項１〜３の何れか一項に記載の複合電極。
【発明の詳細な説明】
【技術分野】
【０００１】
本発明は、複合電極に関する。さらに詳しくは、比較電極の液絡部を塩化カリウムが通過することにより液絡部内外の電気的接続が可能となり、被検液のｐＨまたは酸化還元電位の測定を行なうことができる複合電極に関する。
【背景技術】
【０００２】
従来のｐＨ測定では、比較電極にチューブなどで連結された貯留タンクに塩化カリウム溶液を貯留していた。この貯留タンクの内部は大気開放状態とされ、貯留されている塩化カリウム溶液は、ヘッド圧または加圧装置による加圧により比較電極に流入し、液絡部から被検液中に少量ずつ流出するようになっていた。
【０００３】
しかし、上述した比較電極を河川水、水道水等の無人測定を行なう水質監視装置に使用した場合、貯留タンクに補給する塩化カリウム溶液を、その都度設備環境の悪い装置設置現場で調製するか、予め大量の塩化カリウム溶液を調製して複数の装置設置現場に搬送するかのいずれかの方法を採らなくてはならず、塩化カリウム溶液の補給が非常に面倒であった。
また、塩化カリウム溶液の補給の頻度を下げるためには、比較的大容量の貯留タンクを要すること、また、液絡部からの内部液の流出に必要な差圧を得るためには、ヘッド圧または加圧装置による加圧が必要であり、ｐＨ測定電極の小型化、複合化が困難であった。
【０００４】
そこで、中央部にガラス電極、その周囲に比較電極が形成された電極本体の周囲に、塩化カリウム錠剤と塩化カリウム溶液を入れた密閉型の貯留タンクを設けた電極装置が提案されている（特許文献１）。特許文献１では、貯留タンクで生成されたほぼ飽和の塩化カリウム溶液は、電極本体の周壁に設けられた塩化カリウム溶液流入口から比較電極に流入するようになっている。そして、比較電極に流入したほぼ飽和の塩化カリウム溶液が濃度拡散により被検液中に流出する。濃度拡散による流出の場合、液絡部からは塩化カリウムのみが流出し、水は流出しない。このため、貯留タンクを従来に比べて小型化することができると共に、測定開始時に塩化カリウム溶液を入れた後は、新たな水の補給をほとんど不要とすることができる。
【先行技術文献】
【特許文献】
【０００５】
【特許文献１】実開平５−５９３０２号公報
【発明の概要】
【発明が解決しようとする課題】
【０００６】
しかし、特許文献１の電極装置は、電極本体の周囲に貯留タンクを設けるため、装置全体の小型化には限界があった。また、被検液の圧力が高い場合は貯留タンクを含めた電極装置全体を耐圧化しなければならず、装置全体の小型化は困難であった。
本発明は上記の点に鑑みてなされたものであり、比較内部液補給の負担が極めて小さく、比較内部液補給を不要とすることも可能であり、かつ、小型化が容易な複合電極を提供することを課題とする。
【課題を解決するための手段】
【０００７】
上記の課題を達成するために、本発明は、以下の構成を採用した。
［１］封止された先端部側にｐＨガラス感応膜を有し、前記先端部側と軸線方向の反対側である基端部側の端部が開口とされた測定電極管と、
前記測定電極管の内部に挿入された測定電極内極と、
前記測定電極内極で得られる電位を導くための測定リード線と、
前記測定電極管の軸線方向に沿って前記測定電極管を取り囲んで配置される外筒と、
前記外筒と前記測定電極管の間に挿入された比較電極内極と、
前記比較電極内極で得られる電位を導くための比較リード線と、
前記ｐＨガラス感応膜を外部に露出させた状態で、前記測定電極管の先端部近傍と前記外筒との間を封止する封止部と、
前記測定電極管の前記基端部側の端部及び前記測定電極管の基端部側と前記外筒との間を封止するキャップとを備え、
前記測定電極管及び前記キャップにより囲まれる空間は測定内部液が封入される測定内部液収容部とされ、
前記外筒、前記測定電極管、前記封止部、及び前記キャップにより囲まれる空間は比較内部液収容部とされ、
前記封止部の一部または全部は、前記比較内部液収容部の液体と前記封止部の外部に接触する液体との間の電気的接続を可能とする液絡部で構成され、
前記測定リード線及び前記比較リード線は、液密かつ気密を保った状態で前記キャップを貫通し、
前記比較内部液収容部には、塩化カリウムの錠剤と塩化カリウム溶液が封入されていることを特徴とする複合電極。
【０００８】
［２］封止された先端部側に金属電極を有し、前記先端部側と軸線方向の反対側である基端部側の端部が開口とされた測定電極管と、
前記金属電極で得られる電位を導くための測定リード線と、
前記測定電極管の軸線方向に沿って前記測定電極管を取り囲んで配置される外筒と、
前記外筒と前記測定電極管の間に挿入された比較電極内極と、
前記比較電極内極で得られる電位を導くための比較リード線と、
前記金属電極を外部に露出させた状態で、前記測定電極管の先端部近傍と前記外筒との間を封止する封止部と、
前記測定電極管の前記基端部側の端部及び前記測定電極管の基端部側と前記外筒との間を封止するキャップとを備え、
前記外筒、前記測定電極管、前記封止部、及び前記キャップにより囲まれる空間は比較内部液収容部とされ、
前記封止部の一部または全部は、前記比較内部液収容部の液体と前記封止部の外部に接触する液体との間の電気的接続を可能とする液絡部で構成され、
前記測定リード線及び前記比較リード線は、液密かつ気密を保った状態で前記キャップを貫通し、
前記比較内部液収容部には、塩化カリウムの錠剤と塩化カリウム溶液が封入されていることを特徴とする複合電極。
【０００９】
［３］前記比較内部液収容部は、隔壁によって、前記封止部に接する外側収容部と前記封止部に接しない内側収容部に分離され、
前記隔壁の一部または全部は、該隔壁の両側に接する液体の電気的接続を可能とする液絡部で構成され、
前記比較電極内極は、前記内側収容部に挿入され、
前記外側収容部に塩化カリウムの錠剤と塩化カリウム溶液が封入されている［１］または［２］に記載の複合電極。
［４］前記比較内部液収容部は、隔壁によって、前記封止部に接する外側収容部と、前記封止部に接することなく前記外側収容部と接する第１内側収容部と、前記封止部に接することなく前記第１内側収容部と接する第２内側収容部に分離され、
前記隔壁の前記外側収容部と前記第１内側収容部とを分離する部分の一部または全部は、前記外側収容部と前記第１内側収容部の各々に収容される液体の電気的接続を可能とする液絡部で構成され、
前記隔壁の前記第１内側収容部と前記第２内側収容部とを分離する部分には、ｐＨガラス感応膜が設けられ、
前記比較電極内極は、前記第２内側収容部に挿入され、
前記外側収容部に塩化カリウムの錠剤と塩化カリウム溶液が封入されている［１］または［２］に記載の複合電極。
［５］前記封止部は、着脱自在とされている［１］〜［４］の何れか一項に記載の複合電極。
［６］前記塩化カリウムの錠剤は、増粘剤を含有する［１］〜［５］の何れか一項に記載の複合電極。
【発明の効果】
【００１０】
本発明の複合電極は、比較内部液補給の負担が極めて小さく、かつ、小型化が容易である。
【図面の簡単な説明】
【００１１】
【図１】本発明の第１実施形態に係る複合電極の断面図である。
【図２】本発明の第２実施形態に係る複合電極の断面図である。
【図３】本発明の第３実施形態に係る複合電極の断面図である。
【図４】本発明の第４実施形態に係る複合電極の断面図である。
【図５】本発明の第５実施形態に係る複合電極の断面図である。
【図６】本発明の第５実施形態に係る複合電極における内筒の断面図である。
【図７】本発明の第６実施形態に係る複合電極における内筒の断面図である。
【図８】本発明の第７実施形態に係る複合電極における内筒の断面図である。
【図９】本発明のその他の実施形態に係る複合電極の部分断面図である。
【発明を実施するための形態】
【００１２】
以下図面を用いて本発明の実施形態に係る複合電極について説明する。各実施形態の複合電極は、いずれも全体として軸線を有する一方向に長い棒状に形成されている。各実施形態の複合電極は、通常、その軸線方向が鉛直方向に沿うように配置されて使用される。
以下、各図の上下に対応する方向を、複合電極及びその要素について上下方向として説明することがあるが、本発明は複合電極の使用時の配向を何ら特定するものではない。
なお、各図の下側が本発明における先端部側であり、上側が基端部側である。
【００１３】
＜第１実施形態＞
本発明の第１実施形態に係る複合電極について説明する。本実施形態の複合電極１Ａは、シングルジャンクション方式のｐＨ複合電極である。図１は本実施例の複合電極１Ａの断面図である。
複合電極１Ａは、内筒２Ａ（本発明における測定電極管）と、測定電極内極１１と、測定リード線１４と、外筒３と、比較電極内極１２と、比較リード線１５と、封止部４と、キャップ７とから基本的に構成されている。
また、複合電極１Ａは保護管６、プリアンプ８、コネクタ９、ボディー１０、温度センサ１３、並びに温度センサ１３と保護管６にそれぞれ接続されたリード線１６、１７を備えている。
【００１４】
内筒２Ａは、先端部側が封止され、基端部側が開口とされた有底の筒状体である。内筒２Ａは、先端部側の端部にｐＨガラス感応膜２４が設けられ、このｐＨガラス感応膜２４により無底のガラス製の筒状体の先端部側が封止されて内筒２Ａが構成されている。ｐＨガラス感応膜２４は、下方に凸の略半球状に形成されている。
【００１５】
外筒３は、下方の電極収容部３ａと、内径及び外径が電極収容部３ａより大きい上方の回路収容部３ｂとを有する無底の筒状体である。電極収容部３ａと回路収容部３ｂとは、実質的に同軸状に連続して形成されている。電極収容部３ａは、内筒２Ａの軸線方向に沿って内筒２Ａを取り囲んで配置される。なお、電極収容部３ａの下端は、内筒２Ａの先端部よりも上側とされている。また、電極収容部３ａの上端側内面には、雌ねじが３ｃが形成されている。
外筒３は絶縁性材料で構成する。外筒３を構成する絶縁性材料としては、ポリサルフォン酸等の樹脂、ガラスなどが挙げられる。
【００１６】
測定電極内極１１は、内筒２Ａ内にｐＨガラス感応膜２４に接触しない状態で挿入されている。測定電極内極１１は、通常銀／塩化銀電極である。
測定電極内極１１には測定電極内極１１で得られる電位を導くための測定リード線１４が接続され、測定リード線１４の基端部側は、内筒２Ａの基端部側の開口から、キャップ７を貫通して回路収容部３ｂ側に導出されている。
【００１７】
比較電極内極１２は、内筒２Ａと外筒３の間に挿入されている。本実施形態の比較電極内極１２は銀／塩化銀電極である。
比較電極内極１２には比較電極内極１２で得られる電位を導くための比較リード線１５が接続され、比較リード線１５の基端部側は、内筒２Ａの基端部側と外筒３との間からキャップ７を貫通して回路収容部３ｂ側に導出されている。
【００１８】
封止部４は、ｐＨガラス感応膜２４を外部（下側）に露出させた状態で、内筒２Ａの先端部近傍と外筒３との間を封止するものである。封止部４は封止部本体４ａと封止部液絡部４ｂとから構成されている。
封止部本体４ａは、貫通穴４ｃを備え、下側の外径が上側の外径より大径となるように、周面の軸方向略中央に段差が設けられたリング状の部材である。封止部液絡部４ｂは略円柱形（丸棒形）の部材で、封止部本体４ａを貫通して上側と下側が各々突出するように複数設けられている。
【００１９】
封止部本体４ａの貫通穴４ｃの内径は内筒２Ａの外径と略同一とされ、封止部本体４ａの上側の外径は、電極収容部３ａの下端側の内径と略同一とされ、封止部本体４ａの下側の外径は、電極収容部３ａの下端側の外径と略同一とされている。そのため、内筒２Ａの先端部を貫通穴４ｃに挿通しつつ、封止部４の上側を電極収容部３ａの下端に押し込むと、封止部本体４ａの周面の軸方向略中央に設けられた段差が電極収容部３ａの下端に当接して止まるようになっている。
また、封止部本体４ａの周面の軸方向略中央に設けられた段差を利用して封止部本体４ａが電極収容部３ａの下端から離れるように封止部４を下側に引けば、電極収容部３ａに嵌合した封止部４を電極収容部３ａから外すと共に、内筒２Ａの先端から抜くことが可能となっている。すなわち、封止部４は、着脱自在とされている。
【００２０】
なお、封止部本体４ａの貫通穴４ｃに内筒２Ａを液密に挿通させるために、貫通穴４ｃの内側にＯリング５ａが設けられている。また、封止部本体４ａが、電極収容部３ａに液密に嵌合するように、封止部本体４ａの上側の周面と電極収容部３ａとの間にＯリング５ｂが設けられている。
【００２１】
封止部本体４ａの材質としては、たとえば、樹脂、セラミック、ゴム、ガラスなどが使用できる。なお、封止部本体４ａの材質をゴムとする場合は、Ｏリング５ａ、Ｏリング５ｂを省略できる。
封止部液絡部４ｂは、封止部液絡部４ｂの上下に各々接する液体間の電気的接続を可能とするものである。好ましくは多孔質セラミック等の多孔質部材で形成される。封止部液絡部４ｂが多孔質部材で形成されていれば、封止部液絡部４ｂの上下に各々接する液体が含有される電解質成分と共に僅かに移動可能とされ、これにより、封止部液絡部４ｂの上下に各々接する液体間の電気的接続が可能となる。
【００２２】
封止部本体４ａは、それ自体が液体間の電気的接続を可能とする液絡部として機能するものでもよい。すなわち、封止部４の全部が液絡部で構成されていてもよい。たとえば、封止部本体４ａを多孔質樹脂で構成することができる。
多孔質樹脂の材料としては、フッ素樹脂、ポリエチレン樹脂、ポリプロピレン樹脂を用いることができる。フッ素樹脂としては、ポリテトラフルオロエチレン（ＰＴＦＥ）、テトラフルオロエチレン／ペルフルオロ（アルキルビニルエーテル）共重合体（ＰＦＡ）、テトラフルオロエチレン−ヘキサフルオロプロピレン共重合体（ＦＥＰ）、エチレン−テトラフルオロエチレン共重合体（ＥＴＦＥ）などが挙げられる。特にＰＴＦＥが好ましい。
【００２３】
キャップ７は、内筒２Ａの基端部側の開口及び内筒２Ａの基端部側と外筒３との間を封止するものである。キャップ７は、下側に凹部７ａが設けられている。また、凹部７ａの底面（凹部７ａの上端）の外周に沿って環状溝７ｂが設けられている。また、キャップ７の外周面には、雄ねじ７ｃが形成されている。
凹部７ａ及び環状溝７ｂの外径は、内筒２Ａの基端部側の外径と略同一とされている。また、環状溝７ｂは、内筒２Ａの基端部側を、液密かつ気密を保って圧入嵌合できる程度の幅とされている。雄ねじ７ｃは、外筒３の雌ねじ３ｃと螺合できるようになっている。
キャップ７は、たとえばシリコーンゴムで形成することができる。
【００２４】
本実施形態では内筒２Ａの基端部側を環状溝７ｂに圧入嵌合した上で接着している。そして、雄ねじ７ｃと外筒３の雌ねじ３ｃとが螺合することにより、キャップ７で基端部の開口が封止された内筒２Ａが、外筒３の雌ねじ３ｃに固定される。
内筒２Ａは、このキャップ７と前記した封止部４によって外筒３に固定される。その結果、外筒３が内筒２Ａを軸線方向に沿って取り囲み、かつ、外筒３と内筒２Ａが同軸となるような位置関係に保持される。
【００２５】
回路収容部３ｂ内には、プリアンプ８とコネクタ９とが配置される。測定リード線１４及び比較リード線１５は、液密かつ気密を保った状態でキャップ７を貫通して回路収容部３ｂ側に導出され、プリアンプ８に接続されている。プリアンプ８は、コネクタ９を介して、ケーブル（図示せず）によってｐＨ測定装置（図示せず）に接続される。
【００２６】
複合電極１Ａは、外筒３の下方の端部側の所定の範囲を取り囲むように下側から嵌合して取り付けられた保護管６を有する。保護管６は、複合電極１Ａの軸線方向に直交する断面が略円形の、略一様な内径及び外径を有する筒状体である。保護管６の下端は、封止部４から下側に突出した内筒２Ａの下端よりも下方に延長されている。これにより、保護管６は、ｐＨガラス感応膜２４の保護部材として機能する。なお、保護管６の下方の端部の縁部６ａには、複数の切り欠き６ｂが形成されており、ｐＨガラス感応膜２４に対する被検液の流通を妨げないようになっている。
本実施形態において、保護管６は液アース電極として機能する。液アース電極として機能させるために、保護管６には導電性があり、かつ、被検液に対して耐腐食性があるチタン等の金属が使用される。
【００２７】
また、複合電極１Ａは、外筒３を覆うボディー１０を有する。ボディー１０は、外筒３の基端部側よりも上方から、保護管６の上方の所定の範囲までを外側から覆うように取り付けられている。ボディー１０はその内部の構造を保護すると共に、使用者が複合電極１Ａを操作する際の把持部となる。保護管６の上方の端部の外周には、保護管６とボディー１０との間を液密にシールするシール部材としてのＯリング５ｃが設けられている。また、このＯリング５ｃよりも上方において、ボディー１０と外筒３との間の隙間に、温度センサ１３が設けられている。また、このボディー１０と外筒３との間の隙間を通って、温度センサ１３、保護管６にそれぞれ接続されたリード線１６、１７が上方に延長され、外筒３の回路収容部３ｂ内のプリアンプ８に接続されている。
【００２８】
内筒２Ａ及びキャップ７により囲まれる空間は測定内部液収容部２６とされている。測定内部液収容部２６には、測定内部液が封入されている。測定内部液としては、ｐＨ緩衝液、たとえばリン酸緩衝液（ｐＨ約７）が使用される。測定内部液は、測定内部液収容部２６内に空気層を残して測定電極内極１１が浸漬するのに充分な量充填されている。測定内部液収容部２６内に空気層を残すのは、凍結または温度上昇によって測定内部液が膨張した際に、内筒２Ａが損傷しないようにするためである。
【００２９】
また、外筒３、内筒２Ａ、封止部４、及びキャップ７により囲まれる空間は比較内部液収容部３０とされている。比較内部液収容部３０には、塩化カリウムの錠剤と塩化カリウム溶液が封入されている。
塩化カリウムの錠剤は、できるだけ沢山充填することが好ましい。充填される塩化カリウムの錠剤が多いほど、新たな塩化カリウムの錠剤と塩化カリウム溶液を補充することなく測定に供することができる期間が長くなるからである。本実施形態では、比較電極内極１２の直ぐ下まで充填されている。
比較内部液収容部３０には、空気層を残すことなく塩化カリウムの錠剤と塩化カリウム溶液を封入することができる。比較内部液収容部３０内は、封止部４を通じて被検液と圧バランスをとれるため、塩化カリウム溶液が膨張しても内筒２Ａや外筒３等に過剰な圧力がかからないからである。
【００３０】
塩化カリウムの錠剤は、増粘剤を含有することが好ましい。増粘剤を含有することにより、温度上昇によって錠剤の塩化カリウムが過剰に溶出しても、その後の温度低下時に封止部液絡部４ｂが固化した塩化カリウムにより目詰まりすることを防止できる。
斯かる効果が得られる理由は定かではないが、以下のような要因が考えられる。
・増粘剤が塩化カリウムの結着剤として作用するため、温度上昇時の急激な溶解により錠剤が崩壊して塩化カリウムの微粉が発生することを抑制できる。
・液の粘度が高められるため、温度低下時に固化した塩化カリウムが、封止部液絡部４ｂ上に沈降することを抑制できる。
【００３１】
増粘剤としては、水に可溶で、ｐＨ測定に影響を与えないものが好ましい。特に、ポリエチレングリコールが好ましい。
増粘剤を含有する場合、その含有量は、塩化カリウムに対して、０．１〜５質量％であることが好ましく、０．３〜２質量％であることがより好ましく、たとえば１質量％とすることができる。
【００３２】
増粘剤は、塩化カリウムの錠剤と共に封入する塩化カリウム溶液に添加してもよい。増粘剤を塩化カリウム溶液に添加することにより、イオンの動きが抑制されるため、塩化カリウム錠剤の消耗が減る。そのため、より長期間、塩化カリウム錠剤や塩化カリウム溶液を補充することなく継続して測定に供することができる。
一方、塩化カリウム溶液に添加する増粘剤の量が多すぎると、液絡電位が生じて測定精度が下がるため、好ましくない。
したがって、塩化カリウム溶液が増粘剤を含有する場合、その含有量は、塩化カリウム溶液に対して、５０質量％以下であることが好ましく、３０質量％以下であることがより好ましく、１０質量％以下であることがさらに好ましい。
塩化カリウム溶液に添加する増粘剤としては、塩化カリウムの錠剤に含有させる増粘剤と同等のものが使用できる。
【００３３】
本実施形態の複合電極１Ａでは、比較内部液収容部３０内に塩化カリウム溶液（たとえば３〜３．５Ｍ塩化カリウム溶液）と共に封入した塩化カリウムの錠剤が塩化カリウム溶液に溶解し、塩化カリウム溶液は飽和状態となる。この飽和の塩化カリウム溶液中の塩化カリウムが、封止部液絡部４ｂから主として濃度拡散により被検液中に流出する。濃度拡散による流出の場合、液絡部からは塩化カリウムのみが流出し、水は流出しない。このため、測定開始時に塩化カリウム溶液を入れた後は、新たな水の補給は不要となる。封入した塩化カリウムの錠剤が消費し尽くされる迄は、比較内部液収容部３０内の液体は飽和の塩化カリウム溶液の状態を保てるので、長期間継続して測定に供することができる。
【００３４】
封入した塩化カリウムの錠剤が消費し尽くされた場合は、封止部４を外し、新たな塩化カリウムの錠剤と塩化カリウム溶液を補充すればよい。
塩化カリウムが粉末であると、水で濡れた状態の外筒３と内筒２Ａの間に充填することは容易ではない。外筒３と内筒２Ａの間が狭い場合はなおさらである。本実施形態では、塩化カリウムが錠剤とされているため、外筒３と内筒２Ａの間への充填も容易である。
また、一定の大きさの錠剤とした場合、充填する塩化カリウムの量の調整がしやすい。
たとえば、内径１５ｍｍの外筒３と、外径６ｍｍの内筒２Ａであれば、その間に、直径７ｍｍ、厚さ３ｍｍ程度の塩化カリウムの錠剤（約０．２ｇ）を充填可能である。塩化カリウムの錠剤（約０．２ｇ）を２５個充填すれば、約５ｇの塩化カリウムを充填したこととなる。
【００３５】
本実施形態では、外筒３の電極収容部３ａ内側に、塩化カリウムの錠剤を収容したので、複合電極全体を小型化できる。また、外筒３の電極収容部３ａ内側を、封止部液絡部４ｂを除き、気密かつ液密に構成できる。そのため、被検液の圧力に応じて、複合電極全体を耐圧仕様とすることが容易である。
【００３６】
＜第２実施形態＞
本発明の第２実施形態に係る複合電極について説明する。本実施形態の複合電極１Ｂは、シングルジャンクション方式の酸化還元複合電極である。図２は本実施形態の複合電極１Ｂの断面図である。
なお、図２において、第１実施形態の複合電極１Ａと同一の構成部材には同一の符号を付し、その詳細な説明を省略する。複合電極１Ｂは、複合電極１Ａの内筒２Ａに代えて、内筒２Ｂを備える構成とされている。
【００３７】
内筒２Ｂは、図２に示すように、先端部側が封止され、基端部側が開口とされた有底のガラス製の筒状体である。また、内筒２Ｂの封止された先端部には、金属電極４０（白金電極、金電極など）が封入されている。
また、本実施形態の複合電極１Ｂは測定電極内極１１を有さず、測定リード線１４は直接金属電極４０に接続されている。
【００３８】
比較内部液収容部３０には、第１実施形態の比較内部液収容部３０と同様に、塩化カリウムの錠剤と塩化カリウム溶液が封入されている。第１実施形態の場合と同様に、塩化カリウムの錠剤と塩化カリウム溶液の一方または両方に増粘剤を入れてもよい。また、比較内部液収容部３０には、空気層を残すことなく塩化カリウムの錠剤と塩化カリウム溶液を封入することができる。なお、内筒２Ｂ内に、内部液は充填されていない。
【００３９】
本実施形態の複合電極１Ｂは、金属電極４０で検知する被検液の酸化還元電位を、比較電極内極１２の電位との対比により検出できる。
本実施形態の複合電極１Ｂも、複合電極１Ａと同様、封入した塩化カリウムの錠剤が消費し尽くされる迄は、比較内部液収容部３０内の液体は飽和の塩化カリウム溶液の状態を保てるので、長期間継続して測定に供することができる。また、封入した塩化カリウムの錠剤が消費し尽くされた場合は、封止部４を外し、新たな塩化カリウムの錠剤と塩化カリウム溶液を補充すればよい。
【００４０】
本実施形態でも、外筒３の電極収容部３ａ内側に、塩化カリウムの錠剤を収容したので、複合電極全体を小型化できる。また、外筒３の電極収容部３ａ内側を、封止部液絡部４ｂを除き、気密かつ液密に構成できる。そのため、被検液の圧力に応じて、複合電極全体を耐圧仕様とすることが容易である。
【００４１】
＜第３実施形態＞
本発明の第３実施形態に係る複合電極について説明する。本実施形態の複合電極１Ｃは、ダブルジャンクション方式のｐＨ複合電極である。図３は本実施形態の複合電極１Ｃの断面図である。
なお、図３において、第１実施形態の複合電極１Ａと同一の構成部材には同一の符号を付し、その詳細な説明を省略する。複合電極１Ｃは、複合電極１Ａの内筒２Ａに代えて、内筒２Ｃを備える構成とされている。
【００４２】
内筒２Ｃは、軸線方向に沿って一方向に長く形成されており、同軸状の二重管構造を有している。
内筒２Ｃは、軸線方向において先端部側の端部が封止されたガラス製の内管２１を有する。また、内筒２Ｃは、軸線方向において内管２１の基端部側を取り囲み先端部側の端部が内管２１に接合されたガラス製の中央管２２を有する。
【００４３】
内管２１は、本発明における測定電極管に相当する。内管２１は、軸線方向に直交する断面が略円形の、ガラスで形成された有底の管状部材である。内管２１は、内径及び外径が小さい基端部側の小径部２１ａと、内径及び外径が小径部２１ａより大きい先端部側の大径部２１ｂとを有する。小径部２１ａと大径部２１ｂとは、実質的に同軸状に連続して形成されている。
【００４４】
中央管２２は、軸線方向に直交する断面が略円形の、略一様な内径及び外径を有する、ガラスで形成された略直線状の管状部材である。中央管２２は、その先端部側の端部２２ａが、内管２１の小径部２１ａと大径部２１ｂとの連結部２１ｃの近傍において、内管２１に接合されている。
【００４５】
内管２１における中央管２２に取り囲まれていない領域である内管２１の先端部側の端部に、ｐＨガラス感応膜２４が設けられている。このｐＨガラス感応膜２４により無底の筒状体の先端部側が封止されて内管２１が構成されている。ｐＨガラス感応膜２４は略球状に形成されている。
【００４６】
また、中央管２２には、比較液絡部３５が設けられている。比較液絡部３５は、中央管２２を貫通するように封入されている。比較液絡部３５は、中央管２２の内外に各々接する液体間の電気的接続を可能とするものである。好ましくは多孔質セラミック等の多孔質部材で形成される。比較液絡部３５が多孔質部材で形成されていれば、比較液絡部３５の両側に各々接する液体が含有される電解質成分と共に僅かに移動可能とされ、これにより、中央管２２の内外に各々接する液体間の電気的接続が可能となる。
【００４７】
測定電極内極１１は、内管２１内にｐＨガラス感応膜２４に接触しない状態で挿入されている。測定電極内極１１は、通常銀／塩化銀電極である。
測定電極内極１１には測定電極内極１１で得られる電位を導くための測定リード線１４が接続され、測定リード線１４の基端部側は、内管２１の基端部側の開口から、キャップ７を貫通して回路収容部３ｂ側に導出されている。
【００４８】
比較電極内極１２は、内管２１と中央管２２の間に挿入されている。本実施形態の比較電極内極１２は銀／塩化銀電極である。
比較電極内極１２には比較電極内極１２で得られる電位を導くための比較リード線１５が接続され、比較リード線１５の基端部側は、内管２１と中央管２２との間からキャップ７を貫通して回路収容部３ｂ側に導出されている。
【００４９】
本実施形態のキャップ７は、凹部７ａが段差のある略半球状とされている。また、凹部７ａの上端側には、直径の異なる２本の環状溝７ｂが設けられている。２本の環状溝７ｂは、内筒２Ｃの内管２１及び中央管２２の各々の基端部側を、液密かつ気密を保って圧入嵌合できる程度の直径と幅とされている。
【００５０】
内管２１及びキャップ７により囲まれる空間は測定内部液収容部２６とされている。測定内部液収容部２６には、測定内部液が封入されている。測定内部液としては、ｐＨ緩衝液、たとえばリン酸緩衝液（ｐＨ約７）が使用される。測定内部液は、測定内部液収容部２６内に空気層を残して測定電極内極１１が浸漬するのに充分な量充填されている。
また、外筒３、内管２１、封止部４、及びキャップ７により囲まれる空間は比較内部液収容部３０とされている。本実施形態の比較内部液収容部３０は、中央管２２（本発明における隔壁に相当）により、２つの収容部に分割されている。
【００５１】
まず、内管２１と中央管２２とキャップ７により囲まれる空間は内側収容部３２とされている。比較電極内極１２は内側収容部３２に挿入されている。
内側収容部３２には、３〜３．５モルの塩化カリウム溶液が封入されている。塩化カリウム溶液は、内側収容部３２内に空気層を残して比較電極内極１２が浸漬するのに充分な量充填されている。内側収容部３２は、封止部４に接していない。
【００５２】
また、外筒３、内筒２Ｃ、封止部４、及びキャップ７により囲まれる空間は外側収容部３１とされている。外側収容部３１は封止部４に接している。比較内部液収容部３０のうち外側収容部３１内に、第１実施形態の比較内部液収容部３０と同様に、塩化カリウムの錠剤と塩化カリウム溶液が封入されている。第１実施形態の場合と同様に、塩化カリウムの錠剤と塩化カリウム溶液の一方または両方に増粘剤を入れてもよい。また、外側収容部３１には、空気層を残すことなく塩化カリウムの錠剤と塩化カリウム溶液を封入することができる。
【００５３】
本実施形態の複合電極１Ｃも、複合電極１Ａと同様、封入した塩化カリウムの錠剤が消費し尽くされる迄は、比較内部液収容部３０の外側収容部３１内の液体は飽和の塩化カリウム溶液の状態を保てるので、長期間継続して測定に供することができる。また、封入した塩化カリウムの錠剤が消費し尽くされた場合は、封止部４を外し、新たな塩化カリウムの錠剤と塩化カリウム溶液を補充すればよい。
【００５４】
なお、比較液絡部３５を通じて、外側収容部３１内の液体と内側収容部３２に収容された液体との間で、時間と共に多少の成分交換が生じ得る。しかし、いずれの成分も塩化カリウムであるので何ら支障はない。むしろ、比較液絡部３５の両側で塩化カリウム濃度が同等となるため、外側収容部３１内と同様、内側収容部３２内の塩化カリウム濃度も低下せず好ましい。
【００５５】
本実施形態でも、外筒３の電極収容部３ａ内側に、塩化カリウムの錠剤を収容したので、複合電極全体を小型化できる。また、外筒３の電極収容部３ａ内側を、封止部液絡部４ｂを除き、気密かつ液密に構成できる。そのため、被検液の圧力に応じて、複合電極全体を耐圧仕様とすることが容易である。
本実施形態の複合電極１Ｃは、第１実施形態の複合電極１Ａと同様の作用効果を奏する他、ダブルジャンクション型とされているため、比較電極内極１２の電位がより安定する。
【００５６】
＜第４実施形態＞
本発明の第４実施形態に係る複合電極について説明する。本実施形態の複合電極１Ｄは、ダブルジャンクション方式の酸化還元複合電極である。図４は本実施形態の複合電極１Ｄの断面図である。
なお、図４において、第３実施形態の複合電極１Ｃと同一の構成部材には同一の符号を付し、その詳細な説明を省略する。複合電極１Ｄは、複合電極１Ｃの内筒２Ｃに代えて、内筒２Ｄを備える構成とされている。
【００５７】
内筒２Ｄは、第３実施形態の内筒２Ｃと同様に、内管２１と、軸線方向において内管２１の基端部側を取り囲み先端部側の端部が内管２１に接合されたガラス製の中央管２２とを有する同軸状の二重管構造とされている。
但し、本実施形態の内管２１の封止された先端部には、金属電極４０（白金電極、金電極など）が封入されている。また、本実施形態の複合電極１Ｄは測定電極内極１１を有さず、測定リード線１４は直接金属電極４０に接続されている。
【００５８】
内管２１と中央管２２とキャップ７により囲まれる内側収容部３２には、３〜３．５モルの塩化カリウム溶液が封入されている。塩化カリウム溶液は、内側収容部３２内に空気層を残して比較電極内極１２が浸漬するのに充分な量充填されている。内側収容部３２は、封止部４に接していない。
【００５９】
封止部４に接している外側収容部３１には、第３実施形態の外側収容部３１と同様に、塩化カリウムの錠剤と塩化カリウム溶液が封入されている。第１実施形態の場合と同様に、塩化カリウムの錠剤と塩化カリウム溶液の一方または両方に増粘剤を入れてもよい。また、外側収容部３１には、空気層を残すことなく塩化カリウムの錠剤と塩化カリウム溶液を封入することができる。
なお、内管２１内に、内部液は充填されていない。
【００６０】
本実施形態の複合電極１Ｄは、金属電極４０で検知する被検液の酸化還元電位を、比較電極内極１２の電位との対比により検出できる。
本実施形態の複合電極１Ｄも、複合電極１Ａと同様、封入した塩化カリウムの錠剤が消費し尽くされる迄は、比較内部液収容部３０の外側収容部３１内の液体は飽和の塩化カリウム溶液の状態を保てるので、長期間継続して測定に供することができる。また、封入した塩化カリウムの錠剤が消費し尽くされた場合は、封止部４を外し、新たな塩化カリウムの錠剤と塩化カリウム溶液を補充すればよい。
【００６１】
なお、比較液絡部３５を通じて、外側収容部３１内の液体と内側収容部３２に収容された液体との間で、時間と共に多少の成分交換が生じ得る。しかし、いずれの成分も塩化カリウムであるので何ら支障はない。むしろ、比較液絡部３５の両側で塩化カリウム濃度が同等となるため、外側収容部３１内と同様、内側収容部３２内の塩化カリウム濃度も低下せず好ましい。
【００６２】
本実施形態でも、外筒３の電極収容部３ａ内側に、塩化カリウムの錠剤を収容したので、複合電極全体を小型化できる。また、外筒３の電極収容部３ａ内側を、封止部液絡部４ｂを除き、気密かつ液密に構成できる。そのため、被検液の圧力に応じて、複合電極全体を耐圧仕様とすることが容易である。
本実施形態の複合電極１Ｄは、第２実施形態の複合電極１Ｂと同様の作用効果を奏する他、ダブルジャンクション型とされているため、比較電極内極１２の電位がより安定する。
【００６３】
＜第５実施形態＞
本発明の第５実施形態に係る複合電極について説明する。本実施形態の複合電極１Ｅは、差動測定方式のｐＨ複合電極である。図５は本実施形態の複合電極１Ｅの断面図であり、図６は図５における内筒２Ｅの断面図である。
なお、図５及び図６において、第１実施形態の複合電極１Ａと同一の構成部材には同一の符号を付し、その詳細な説明を省略する。複合電極１Ｅは、複合電極１Ａの内筒２Ａに代えて、内筒２Ｅを備える構成とされている。
【００６４】
内筒２Ｅは、図６に示すように、上方の基端部２ａと、その反対側である下方の先端部２ｂとを結ぶ軸線方向Ｘに沿って一方向に長く形成されており、同軸状の三重管構造を有している。
内筒２Ｅは、軸線方向Ｘにおいて先端部２ｂ側の端部が封止されたガラス製の内管２１を有する。また、内筒２Ｅは、軸線方向Ｘにおいて内管２１の基端部２ａ側を取り囲み先端部２ｂ側の端部が内管２１に接合されたガラス製の中央管２２を有する。また、内筒２Ｅは、軸線方向Ｘにおいて中央管２２の基端部２ａ側を取り囲み先端部２ｂ側の端部が中央管２２に接合されたガラス製の外管２３を有する。内筒２Ｅは、その軸線方向Ｘが、複合電極１Ｅの全体の軸線方向と実質的に一致するように配置される。
【００６５】
内管２１は、本発明における測定電極管に相当する。内管２１は、軸線方向Ｘに直交する断面が略円形の、ガラスで形成された有底の管状部材である。内管２１は、内径及び外径が小さい基端部２ａ側の小径部２１ａと、内径及び外径が小径部２１ａより大きい先端部２ｂ側の大径部２１ｂとを有する。小径部２１ａと大径部２１ｂとは、実質的に同軸状に連続して形成されている。
【００６６】
中央管２２は、軸線方向Ｘに直交する断面が略円形の、略一様な内径及び外径を有する、ガラスで形成された略直線状の管状部材である。中央管２２は、その先端部側の端部２２ａが、内管２１の小径部２１ａと大径部２１ｂとの連結部２１ｃの近傍において、内管２１に接合されている。
外管２３は、軸線方向Ｘに直交する断面が略円形の、略一様な内径及び外径を有する、ガラスで形成された略直線状の管状部材である。外管２３は、その先端部側の端部２３ａが、中央管２２の上下略中央の側部２２ｄに接合されている。
【００６７】
内管２１における中央管２２に取り囲まれていない領域である内管２１の先端部２ｂ側の端部に、ｐＨガラス感応膜２４が設けられている。このｐＨガラス感応膜２４により無底の筒状体の先端部側が封止されて内管２１が構成されている。ｐＨガラス感応膜２４は、下方に凸の略半球状に形成されている。
【００６８】
また、中央管２２における外管２３に取り囲まれた領域の軸線方向Ｘの一部は、ｐＨガラス感応膜である筒状の比較用ガラス感応膜２５で形成されている。比較用ガラス感応膜２５は、中央管２２の軸線方向の一部に熔着されて一体化されている。比較用ガラス感応膜２５は、中央管２２の他の部分と略同一の内径及び外径を有し、中央管２２と実質的に同軸状に形成されて、中央管２２の一部を構成する。
【００６９】
また、中央管２２における外管２３に取り囲まれていない領域に、比較液絡部３５が設けられている。比較液絡部３５は、中央管２２を貫通するように封入されている。比較液絡部３５は、中央管２２の内外に各々接する液体間の電気的接続を可能とするものである。好ましくは多孔質セラミック等の多孔質部材で形成される。比較液絡部３５が多孔質部材で形成されていれば、比較液絡部３５の両側に各々接する液体が含有される電解質成分と共に僅かに移動可能とされ、これにより、中央管２２の内外に各々接する液体間の電気的接続が可能となる。
【００７０】
測定電極内極１１は、内管２１内にｐＨガラス感応膜２４に接触しない状態で挿入されている。測定電極内極１１は、通常銀／塩化銀電極である。
測定電極内極１１には測定電極内極１１で得られる電位を導くための測定リード線１４が接続され、測定リード線１４の基端部側は、内管２１の基端部側の開口から、キャップ７を貫通して回路収容部３ｂ側に導出されている。
【００７１】
比較電極内極１２は、中央管２２と外管２３の間に挿入されている。本実施形態の比較電極内極１２は銀／塩化銀電極である。
比較電極内極１２には比較電極内極１２で得られる電位を導くための比較リード線１５が接続され、比較リード線１５の基端部側は、中央管２２と外管２３との間からキャップ７を貫通して回路収容部３ｂ側に導出されている。
【００７２】
本実施形態のキャップ７は、凹部７ａが略半球状とされている。また、凹部７ａの上端側には、直径の異なる３本の環状溝７ｂが設けられている。３本の環状溝７ｂは、内筒２Ｅの内管２１、中央管２２、及び外管２３の各々の基端部側を、液密かつ気密を保って圧入嵌合できる程度の直径と幅とされている。
【００７３】
内管２１及びキャップ７により囲まれる空間は測定内部液収容部２６とされている。測定内部液収容部２６には、測定内部液が封入されている。測定内部液としては、ｐＨ緩衝液、たとえばリン酸緩衝液（ｐＨ約７）が使用される。測定内部液は、測定内部液収容部２６内に空気層を残して測定電極内極１１が浸漬するのに充分な量充填されている。
また、外筒３、内管２１、封止部４、及びキャップ７により囲まれる空間は比較内部液収容部３０とされている。本実施形態の比較内部液収容部３０は、中央管２２及び外管２３（本発明における隔壁に相当）により、３つの収容部に分割されている。
【００７４】
まず、内管２１と中央管２２とキャップ７により囲まれる空間は第１内側収容部２７とされている。また、中央管２２と外管２３とキャップ７により囲まれる空間は第２内側収容部２８とされている。比較電極内極１２は第２内側収容部２８に挿入されている。
第１内側収容部２７及び第２内側収容部２８には、３〜３．５モルの塩化カリウムを含むｐＨ緩衝液、たとえばリン酸緩衝液（ｐＨ約７）が封入されている。第１内側収容部２７には、比較用ガラス感応膜２５に接するのに充分な量のｐＨ緩衝液が空気層を残して充填されている。第２内側収容部２８には、比較電極内極１２が浸漬すると共に比較用ガラス感応膜２５に接するのに充分な量のｐＨ緩衝液が空気層を残して充填されている。
第１内側収容部２７及び第２内側収容部２８は、封止部４に接していない。
【００７５】
また、外筒３、内筒２Ｅ、封止部４、及びキャップ７により囲まれる空間は外側収容部２９とされている。外側収容部２９は封止部４に接している。比較内部液収容部３０のうち外側収容部２９内に、第１実施形態の比較内部液収容部３０と同様に、塩化カリウムの錠剤と塩化カリウム溶液が封入されている。第１実施形態の場合と同様に、塩化カリウムの錠剤と塩化カリウム溶液の一方または両方に増粘剤を入れてもよい。また、外側収容部２９には、空気層を残すことなく塩化カリウムの錠剤と塩化カリウム溶液を封入することができる。
【００７６】
本実施形態の複合電極１Ｅは、ｐＨガラス感応膜２４において得られる電位差と比較用ガラス感応膜２５において得られる電位差との差に基づいて、被検液のｐＨが測定される。
すなわち、ｐＨガラス感応膜２４において得られる電位差は、被検液のｐＨと測定内部液収容部２６のｐＨ緩衝液のｐＨとの差に基づき、比較用ガラス感応膜２５において得られる電位差は、第１内側収容部２７のｐＨ緩衝液のｐＨと第２内側収容部２８のｐＨ緩衝液のｐＨとの差に基づく。各々のｐＨ緩衝液は同一の種類のものが使用されるので、最終的に得られるｐＨガラス感応膜２４において得られる電位差と比較用ガラス感応膜２５において得られる電位差との差は、被検液のｐＨを反映させたものとなる。
なお、ｐＨガラス感応膜２４において得られる電位差は、保護管６の電位を基準とする測定電極内極１１の電位として測定される。また、比較用ガラス感応膜２５において得られる電位差は、保護管６の電位を基準とする比較電極内極１２の電位として測定される。
【００７７】
本実施形態の複合電極１Ｅも、複合電極１Ａと同様、封入した塩化カリウムの錠剤が消費し尽くされる迄は、比較内部液収容部３０の外側収容部２９内の液体は飽和の塩化カリウム溶液の状態を保てるので、長期間継続して測定に供することができる。また、封入した塩化カリウムの錠剤が消費し尽くされた場合は、封止部４を外し、新たな塩化カリウムの錠剤と塩化カリウム溶液を補充すればよい。
【００７８】
なお、比較液絡部３５を通じて、外側収容部２９内の液体と第１内側収容部２７に収容された液体との間で、時間と共に多少の成分交換が生じ得る。しかし、第１内側収容部２７内のｐＨ緩衝液は、多少成分が変化しても緩衝作用に支障はない。また、第１内側収容部２７内のｐＨ緩衝液の成分が外側収容部２９内に多少移行しても、その量は僅かであり、封止部液絡部４ｂを通じて、被検液のｐＨに影響を与える恐れはない。なお、外側収容部２９内の液体と第１内側収容部２７に収容された液体の双方に含まれる塩化カリウムが比較液絡部３５を通じて移動しても何ら支障はない。
【００７９】
本実施形態でも、外筒３の電極収容部３ａ内側に、塩化カリウムの錠剤を収容したので、複合電極全体を小型化できる。また、外筒３の電極収容部３ａ内側を、封止部液絡部４ｂを除き、気密かつ液密に構成できる。そのため、被検液の圧力に応じて、複合電極全体を耐圧仕様とすることが容易である。
【００８０】
＜第６実施形態＞
本発明の第６実施形態に係る複合電極について説明する。本実施形態の複合電極も、差動測定方式のｐＨ複合電極である。本実施形態の複合電極は、第５実施形態の複合電極の内筒２Ｅを、図７に示す内筒２Ｆに変更した構成とされている。
なお、図７において、第５実施形態の内筒２Ｅと同一の構成部材には同一の符号を付し、その詳細な説明を省略する。
【００８１】
内筒２Ｆは、図７に示すように、上方の基端部２ａと、その反対側である下方の先端部２ｂとを結ぶ軸線方向Ｘに沿って一方向に長く形成されており、内筒２Ｅと同様に、ガラス製の内管２１と中央管２２と外管２３とからなる三重管構造とされている。
内筒２Ｆが内筒２Ｅと異なる点は、まず、ｐＨガラス感応膜２４が、略球状に形成されている。
また、比較液絡部３５は、中央管２２にではなく、外管２３に設けられている。
また、比較電極内極１２は、内管２１と中央管２２の間に挿入されている。比較リード線１５の基端部側は、内管２１と中央管２２との間からキャップ７を貫通して回路収容部３ｂ側に導出されている。
【００８２】
また、本実施形態の比較内部液収容部３０も、中央管２２及び外管２３（本発明における隔壁に相当）により、３つの収容部に分割されるが、中央管２２と外管２３とキャップ７により囲まれる空間が第１内側収容部２７とされている。また、内管２１と中央管２２とキャップ７により囲まれる空間が第２内側収容部２８とされている。
なお、外筒３、内筒２Ｆ、封止部４、及びキャップ７により囲まれる空間が外側収容部２９とされているのは、第５実施形態と同様である。
【００８３】
内管２１及びキャップ７により囲まれる測定内部液収容部２６には、測定内部液が封入されている。測定内部液としては、ｐＨ緩衝液、たとえばリン酸緩衝液（ｐＨ約７）が使用される。測定内部液は、測定内部液収容部２６内に空気層を残して測定電極内極１１が浸漬するのに充分な量充填されている。
第１内側収容部２７及び第２内側収容部２８には、３〜３．５モルの塩化カリウムを含むｐＨ緩衝液、たとえばリン酸緩衝液（ｐＨ約７）が封入されている。各々に封入されるｐＨ緩衝液の量は、第５実施形態の場合と同様である。
【００８４】
また、外側収容部２９には第１実施形態の比較内部液収容部３０と同様に、塩化カリウムの錠剤と塩化カリウム溶液が封入されている。第１実施形態の場合と同様に、塩化カリウムの錠剤と塩化カリウム溶液の一方または両方に増粘剤を入れてもよい。また、外側収容部２９には、空気層を残すことなく塩化カリウムの錠剤と塩化カリウム溶液を封入することができる。
【００８５】
本実施形態の複合電極は、第１内側収容部２７と第２内側収容部２８との位置関係が異なることとｐＨガラス感応膜２４の形状が異なる他は第５実施形態の複合電極１Ｅと同等なので、その作用効果も複合電極１Ｅと同等である。
【００８６】
＜第７実施形態＞
本発明の第７実施形態に係る複合電極について説明する。本実施形態の複合電極は、差動測定方式の酸化還元複合電極である。本実施形態の複合電極は、第５実施形態の複合電極の内筒２Ｅを、図８に示す内筒２Ｇに変更した構成とされている。
なお、図８において、第５実施形態の内筒２Ｅと同一の構成部材には同一の符号を付し、その詳細な説明を省略する。
【００８７】
内筒２Ｇは、第５実施形態の内筒２Ｅと同様に、内管２１と中央管２２と外管２３を有する同軸状の三重管構造とされている。
但し、本実施形態の内管２１の封止された先端部には、金属電極４０（白金電極、金電極など）が封入されている。また、本実施形態の複合電極は測定電極内極１１を有さず、測定リード線１４は直接金属電極４０に接続されている。
第１内側収容部２７、第２内側収容部２８、外側収容部２９の各々に封入される内部液の組成と量は、第５実施形態の場合と同様である。
なお、内管２１内に、内部液は充填されていない。
【００８８】
本実施形態の複合電極は、金属電極４０で検知する被検液の酸化還元電位を、比較電極内極１２の電位との対比により検出できる。
本実施形態の複合電極も、複合電極１Ａと同様、封入した塩化カリウムの錠剤が消費し尽くされる迄は、比較内部液収容部３０の外側収容部２９内の液体は飽和の塩化カリウム溶液の状態を保てるので、長期間継続して測定に供することができる。また、封入した塩化カリウムの錠剤が消費し尽くされた場合は、封止部４を外し、新たな塩化カリウムの錠剤と塩化カリウム溶液を補充すればよい。
【００８９】
本実施形態でも、外筒３の電極収容部３ａ内側に、塩化カリウムの錠剤を収容したので、複合電極全体を小型化できる。また、外筒３の電極収容部３ａ内側を、封止部液絡部４ｂを除き、気密かつ液密に構成できる。そのため、被検液の圧力に応じて、複合電極全体を耐圧仕様とすることが容易である。
本実施形態の複合電極は、第２実施形態の複合電極１Ｂと同様の作用効果を奏する他、差動測定方式とされているため、比較電極内極１２の電位がより安定する。
【００９０】
＜その他の実施形態＞
上記各実施形態では、封止部４を、封止部本体４ａと封止部液絡部４ｂとから構成される態様としたが、封止部４全体が一様な液絡部である態様としてもよい。たとえば、封止部４全体を多孔質樹脂で構成してもよい。
また、上記各実施形態では、封止部４を電極収容部３ａに押し込んで固定する態様としたが、封止部４を電極収容部３ａにねじ込みにより固定する態様としてもよい。たとえば、第一実施形態における封止部４の固定をねじ込みとする場合は、図９に示すように、封止部本体４ａの上側（系の小さい部分）における外周に雄ねじ４ｄを形成し、電極収容部３ａの内側における対応箇所に雌ねじ３ｄを形成すればよい。他の実施形態についても、同様にして、ねじ込みにより固定する態様に変更することができる。
【００９１】
また、封止部４は、着脱自在であることが好ましいが、固定されたものであってもよい。たとえば、封止部本体４ａを内筒２Ａと外筒３に接着してもよい。その場合は、Ｏリング５ａ、Ｏリング５ｂは不要である。また、封止部本体４ａに代えて、段差を有しない単なるリング状の膜を用い、この膜を内筒２Ａと外筒３に接着してもよい。封止部４が固定されていて新たな塩化カリウムの錠剤と塩化カリウム溶液を補充できなくとも、塩化カリウムの錠剤が充填されているため、長期間継続して測定に供することができる。
【００９２】
比較内部液収容部を外側収容部と内側収容部に分離する隔壁の配置態様は、比較内部液収容部３０を封止部４に接する領域と接しない領域とを明確に分離できれば特に限定はない。たとえば、比較内部液収容部３０を上下に分離するように内筒２Ａと外筒３の間に設けられたリング状の隔壁とすることができる。
【００９３】
また、比較内部液収容部を、外側収容部と第１内側収容部と第２内側収容部に分離する隔壁の配置態様にも、特に限定はない。たとえば、比較内部液収容部３０を上下３段に分離するように内筒２Ａと外筒３の間に設けられた２つのリング状の隔壁とすることができる。
なお、第７実施形態では、第５実施形態の内筒２Ｅと近似した内筒２Ｇを用いたが、比較内部液収容部３０の構成および比較液絡部３５の配置が第６実施形態の内筒２Ｆと近似した内筒に代えてもよいことはもちろんである。
【００９４】
また、比較内部液収容部に塩化カリウムの錠剤と塩化カリウム溶液を封入した状態とするためには、塩化カリウムの錠剤と水を封入して、使用時までに錠剤の一部を溶解させてもよい。
また、測定電極管と外筒とは、必ずしも同軸状に配置されていなくてもよい。
また、保護管６の材質は、液アースとして使用しない場合は、導電性でも非導電性でもよい。その場合、リード線１７は不要となる。
また、上記各実施形態では、ボディー１０内にプリアンプ８を備える態様としたが、コネクタ９を介して接続されるｐＨ測定装置がプリアンプ８の機能を備えていれば、プリアンプ８は省略できる。
【符号の説明】
【００９５】
１Ａ、１Ｂ、１Ｃ、１Ｄ、１Ｅ…複合電極
２Ａ、２Ｂ、２Ｃ、２Ｄ、２Ｅ、２Ｆ、２Ｇ…内筒
３…外筒
４…封止部
４ａ…封止部本体
４ｂ…封止部液絡部
６…保護管
７…キャップ
１１…測定電極内極
１２…比較電極内極
１３…温度センサ
１４…測定リード線
１５…比較リード線
１６、１７…リード線
２４…ｐＨガラス感応膜
２５…比較用ガラス感応膜
２６…測定内部液収容部
２７…第１内側収容部
２８…第２内側収容部
２９、３１…外側収容部
３０…比較内部液収容部
３２…内側収容部
３５…比較液絡部
４０…金属電極
【図１】
0006409500.tif 000002
【図２】
0006409500.tif 000003
【図３】
0006409500.tif 000004
【図４】
0006409500.tif 000005
【図５】
0006409500.tif 000006
【図６】
0006409500.tif 000007
【図７】
0006409500.tif 000008
【図８】
0006409500.tif 000009
【図９】
0006409500.tif 000010